(57)【要約】      （修正有）【課題】スラックス或いはスカート又はこれらに類する衣服へ取り付けたときの見栄えを良くすると共に、当該衣服のウェストサイズを容易に調整することができるアジャスタを提供する。【解決手段】アジャスタ１０は、バックル１１と、第１ベルトと、第２ベルトとからなる。第１ベルトはバックルに通され、第２ベルトはその基端部をバックル１１へ連結している。第１ベルトの一端側１２ａに形成した第１係止部のボタンホールにスラックス１のボタン３を係止し、スラックスのボタンホールへ第２係止部のボタン１７ａを係止することにより、アジャスタをスラックスの前あき部２上端近傍へ装着することができる。これにより、あたかも通常のベルトを使用しているかのように見立てることができるので見栄えを良くすることができる。【選択図】図４
0003183022.tif 000002
【実用新案登録請求の範囲】
【請求項１】
スラックス或いはスカート又はこれらに類する衣服の前あき部の上端を、ボタンとボタンホール又はフックとフック受け具からなる一対の留め具で留めるボタン式又はフック式の前記衣服へ着脱自在に装着して、
前記衣服のウェストサイズを拡張可能にしたアジャスタであって、
当該アジャスタは、
中央部に中軸を有するバックルと、
当該バックルの後面側から前面側へ向かって、前記フレームと前記中軸の一方の隙間へ通され、さらに前記バックルの前面側から後面側へ向かって、前記フレームと前記中軸の他方と隙間へ通され、一方の前記留め具に係合する第１係止部を一端側に有する第１ベルトと、
前記中軸に基端部を連結し、他方の前記留め具に係合する第２係止部を先端部に有する第２ベルトとからなり、
前記第１係止部及び前記第２係止部には、前記ボタンと前記ボタンホールとからなる前記ボタン式留め具、及び前記フックと前記フック受け具とからなる前記フック式留め具が配されていることを特徴とするアジャスタ。
【請求項２】
前記第１ベルトの一端側にベルト通しを設けたことを特徴とする請求項１に記載のアジャスタ。
【考案の詳細な説明】
【技術分野】
【０００１】
本考案は、体型変化に伴ってスラックス或いはスカート又はこれらに類する衣服のウェストサイズを拡張するアジャスタに関する。
【背景技術】
【０００２】
従来、妊婦は、妊娠中は腹部の圧迫を避けるためにマタニティウェアを着用している。一方、この妊娠期間中には、妊娠期間外に着用していたスラックス或いはスカート又はこれらに類する衣服のウェストサイズでは合わなくなり、着用することが困難になる。
当該衣服を妊娠期間中乃至は産後体形が元に戻るまで着用することができるようにするため、実用新案登録第３１４６０３１号公報にはパンツ類のウェストサイズ調整補助具が開示されている。
当該ウェストサイズ調整補助具は、伸縮ベルトをスラックス等の前あき部の上端を留めるボタン又はフックに装着してウェストサイズを拡張している。当該伸縮ベルトは、バックルの両側へそれぞれ通している別個のベルトをそれぞれ調整することにより、当該伸縮ベルトの長短を調整している。
【先行技術文献】
【特許文献】
【０００３】
【特許文献１】実用新案登録第３１４６０３１号公報
【考案の概要】
【考案が解決しようとする課題】
【０００４】
しかしながら、上記の伸縮ベルトは、その先端部をそれぞれバックルの後面側から中軸に巻回させてから、当該中軸と外軸との間へバックルの前面側から通している。ここで、特に妊娠後期に至りウェストサイズが大きくなったときに伸縮ベルトを伸ばすと、バックルの両側に引き出されている伸縮ベルトの先端部が非常に短くなる。そのため、伸縮ベルトの伸びしろが短くなると共に当該先端部をつまむことが困難になるので、伸縮ベルトの調整が困難になるおそれがある。
また、上記の伸縮ベルトを短くして使用しているとき、バックルの両側面へ引き出した伸縮ベルトの先端部が垂れ下がることになる。この垂れ下がったベルト先端部は見栄えを著しく損なうが、たとえば、スラックスのベルト通しへ通そうとしても、当該スラックスの前あき部上端は当該伸縮ベルトによって拡開されているため、当該ベルト通しまでの長さが足りなくなるおそれがある。
【０００５】
したがって、本考案が解決しようとする課題は、スラックス或いはスカート又はこれらに類する衣服へ取り付けたときの見栄えを良くすると共に、当該衣服のウェストサイズを容易に調整することができるアジャスタを提供することである。
【課題を解決するための手段】
【０００６】
請求項１に記載のアジャスタは、スラックス或いはスカート又はこれらに類する衣服の前あき部の上端を、ボタンとボタンホール又はフックとフック受け具からなる一対の留め具で留めるボタン式又はフック式の前記衣服へ着脱自在に装着して、前記衣服のウェストサイズを拡張可能にしたアジャスタであって、
当該アジャスタは、中央部に中軸を有するバックルと、当該バックルの後面側から前面側へ向かって、前記フレームと前記中軸の一方の隙間へ通され、さらに前記バックルの前面側から後面側へ向かって、前記フレームと前記中軸の他方と隙間へ通され、一方の前記留め具に係合する第１係止部を一端側に有する第１ベルトと、前記中軸に基端部を連結し、他方の前記留め具に係合する第２係止部を先端部に有する第２ベルトとからなり、
前記第１係止部及び前記第２係止部には、前記ボタンと前記ボタンホールとからなる前記ボタン式留め具、及び前記フックと前記フック受け具とからなる前記フック式留め具が配されていることを特徴とする。
【０００７】
請求項２に記載のアジャスタは、請求項１に記載の考案において、前記第１ベルトの一端側にベルト通しを設けたことを特徴とする。
【考案の効果】
【０００８】
請求項１に記載のアジャスタによれば、当該アジャスタをスラックス等の衣服の前あき部上端近傍へ装着したとき、第１ベルトを通したバックルの意匠によって、あたかも通常のベルトを使用しているかのような視覚効果を得ることができる。
これにより、アジャスタを取り付けたときの見栄えを良くすることができる。
また、本考案に係るアジャスタによれば、第１ベルトの長手方向に沿ってバックルを移動可能にすると共に、第２ベルトをバックルの中軸に連結した。
これにより、衣服の前あき部上端近傍へ装着したとき、第２ベルトは固定される。ここで、使用者は一方の手でバックルを押さえ、他方の手で第１ベルトを引っ張ることによって、アジャスタの長短を容易に調整することができ、衣服のウェストサイズを容易に調整することができる。そして、バックルを第１ベルトの中ほどに配置した場合には、当該バックルの両側には十分に第１ベルトの調整代が残される。これにより、第１ベルトの一端側又は他端側のいずれか一方を引っ張った場合であっても、いきなりバックルからベルトが抜けることを防止することができる。
さらに、第１係止部と第２係止部には、ボタン式留め具とフック式留め具の２種類の留め具を配するようにした。これにより、アジャスタに別途加工を施して見栄えを犠牲にすることなく、スラックス或いはスカート又はこれらに類する衣服の前あき部の上端を、ボタンとボタンホール、又はフックとフック受け具からなる一対の留め具で留めるボタン式又はフック式の前記衣服であれば、アジャスタを装着することができる。
【０００９】
請求項２に記載のアジャスタによれば、第１ベルトの一端側にベルト通しを設けた。
これにより、アジャスタを短くして第１ベルトの他端側が長くなった場合に、当該他端側を折り返してベルト通しに挿通することにより、第１ベルトの他端側が垂れ下がることを防止することができる。そのため、アジャスタを取り付けたときの見栄えを整えることができる。
そして、アジャスタを取り付けた衣服にベルト通しが無い場合であってもまた、当該ベルト通しを使うことにより、第１ベルトの他端側が垂れ下がることを防止することができ、アジャスタを取り付けたときの見栄えを良くすることができる。
【図面の簡単な説明】
【００１０】
【図１】第１実施例に係るアジャスタを示す斜視図である。
【図２】第１実施例に係るアジャスタの第１ベルトを示す斜視図である。
【図３】第１実施例に係るアジャスタのバックル及び第２ベルトを示す斜視図である。
【図４】第１実施例に係るアジャスタの使用の一例を示す斜視図である。
【図５】第１実施例に係るアジャスタの他の使用例を示す斜視図である。
【実施例１】
【００１１】
本考案に係るアジャスタの実施例を、添付した図面にしたがって説明する。
図１は本実施例に係るアジャスタを示す斜視図であり、図２は当該アジャスタの第１ベルトを示す斜視図、及び図３は当該アジャスタのバックル及び第２ベルトを示す斜視図である。
【００１２】
アジャスタ１０は、図１に示すように、バックル１１と、第１ベルト１２と、第２ベルト１３とからなる。
バックル１１は、図３に示すように、フレーム１１ａと中軸１１ｂを有している。本実施例においてフレーム１１ａは矩形状に形成されているがこれに限定されず、円形、楕円形、ひし形等の任意の形状に形成することができる。また、フレーム１１ａ及び中軸１１ｂは、合成樹脂材からなり、一体成型されたものであるが、これに限定されず、金属製或いは木製であっても良い。特に、市販されている通常のベルトのバックルと類似の形状にした場合には、後述するように、アジャスタ１０をスラックス等の衣服の前あき部上端近傍へ装着したときに、あたかも通常のベルトを装着しているかのように見せることができる。
フレーム１１ａの後面側の一部、好ましくは中軸１１ｂと並行する部分には滑り止めとなる溝が複数形成されている（図示略）。これにより、第１ベルト１２へテンションがかかったとき、当該第１ベルト１２がバックル１１上を滑動することを防止することができる。
中軸１１ｂには、第２ベルト１３の基端部１３ａが連結されている。当該第２ベルト１３については後述する。
【００１３】
第１ベルト１２は、一端側１２ａ端部と他端側１２ｂ端部に剣先１４，１４を有している。第１ベルト１２の一端側１２ａには、ベルト通し１５が第１ベルト１２の長手方向に沿って移動可能に配されている。
【００１４】
剣先１４，１４は、先端に向かって第１ベルト１２の幅が漸次狭くなる略先細り形状に形成されている。当該剣先１４，１４は、カバーで覆われている。当該カバーの第１ベルト１２の長手方向に沿った長さは、少なくともバックル１１のフレーム１１ａと中軸１１ｂとの隙間よりも長くなるように、形成されている。そして、当該カバーは、非伸縮性と可撓性を有するものであることが好ましい。当該カバーで剣先１４，１４を覆うことにより、第１ベルト１２を一端側１２ａ又は他端側１２ｂのいずれか一方の方向へ勢いよく引っ張った場合であっても、フレーム１１ａと中軸１１ｂの隙間にカバーが引っ掛かるので、バックル１１から第１ベルト１２が抜脱することを防止することができる。さらに剣先１４，１４を略先細り形状に形成したことにより、第１ベルト１２をバックル１１へ容易に挿通することができ、ベルト通し１５へもまた容易に挿通することができる。
第１ベルト１２は、少なくとも長手方向に沿って伸縮性を有している。当該伸縮性は、本実施例では第１ベルト１２に編み込んだゴム紐によるものであるが、これに限定されるものでは無く、第１ベルト１２を構成する糸の編み方、織り方等によって伸縮性を有するようにしても良い。そして第１ベルト１２が伸縮性を有するので、使用者が立ったり座ったりして、アジャスタ１０に若干の負荷がかかった場合であっても、当該第１ベルト１２が伸縮することによってアジャスタ１０が使用者の動きを阻害することを防止することができる。
【００１５】
ベルト通し１５は、リング状に形成された幅広のゴム紐からなり、伸縮性を有している。これにより、第１ベルト１２の一端側１２ａでベルト通し１５を移動させることができ、第１ベルト１２の幅方向に沿って第１ベルト１２へ圧接されるので、第１ベルト１２の一端側１２ａの任意の位置でベルト通し１５を留めておくことができる。そのため、第１ベルト１２をバックル１１へ挿通し、アジャスタ１０の長さを調整したときに第１ベルト１２の他端側１２ｂが長くなった場合、当該長くなった他端側１２ｂを折り返して、ベルト通し１５へ挿通することで、当該第１ベルト１２の他端側１２ｂが垂れ下がることを防止することができる。これにより、アジャスタ１０を取り付けたときの見栄えを良くすることができる。
【００１６】
第２ベルト１３は、基端部１３ａをバックル１１の中軸１１ｂへ連結している。第２ベルト１３は、非伸縮性の布地から形成されている。これにより、第２ベルト１３をスラックス等の衣服の前あき部の上端近傍へ装着したとき、バックル１１の位置がズレることを防止することができる。バックル１１が固定されることによって、バックル１１に対して第１ベルト１２の長さを調節することでアジャスタ１０の長さを容易に調整することができる。
【００１７】
第１ベルト１２の一端側１２ａには、第１係止部１６が形成されている。また、第２ベルトの先端部１３ｂには、第２係止部１７が形成されている。
第１係止部１６及び第２係止部１７には、複数種類の留め具が設けられている。当該留め具はそれぞれ対を成すように形成されている。
図２に示すように、第１係止部１６には、ボタンホール１６ａが形成され、フック１６ｂが取り付けられている。また、図３に示すように、第２係止部１７には、ボタン１７ａ、及びフック受け具１７ｂが取り付けられている。
ボタンホール１６ａとボタン１７ａは一対のボタン式留め具を形成し、フック１６ｂとフック受け具１７ｂは一対のフック式留め具を形成している。
留め具の取り付け方は上記のように限定されるものでは無く、第１係止部１６に、ボタンホール１６ａを形成し、フック受け具１７ｂを取り付け、第２係止部１７に、ボタン１７ａを取り付け、フック１６ｂを取り付けるようにしても良く、また、第１係止部１６に、ボタン１７ａを取り付けて、フック受け具１７ｂ又はフック１６ｂのいずれか一方を取り付け、第２係止部１７に、ボタンホール１６ａを形成して、フック受け具１７ｂ又はフック１６ｂの他方を取り付けるようにしても良い。
本実施例では、一対の留め具としてボタンホール１６ａとボタン１７ａとからなるボタン式留め具、フック１６ｂとフック受け具１７ｂとからなるフック式留め具を例示したがこれに限定されず、たとえばスナップ式留め具又はこれらに類する留め具を配しても良い。
複数種類の留め具を取付けたことによって、たとえば、前あき部の上端をボタンで留めているジーパンに使用可能であると共に、当該前あき部上端をフックで留めているスラックス又はスカートのような衣服にも使用可能である。したがって、汎用性に優れたアジャスタ１０を提供することができる。
【００１８】
以上が、本実施例に係るアジャスタ１０の構成である。次に当該アジャスタ１０の使用方法を、添付した図面にしたがって説明する。
図４は、本実施例に係るアジャスタの使用の一例を示す斜視図であり、図５は当該アジャスタの他の使用例を示す斜視図である。
【００１９】
本実施例に係るアジャスタ１０は、図４に示すように、スラックス１の前あき部２の上端を留めているボタンからなる一対の留め具を流用して装着されている。具体的には、アジャスタ１０は、第１ベルト１２の一端側１２ａに形成した第１係止部１６のボタンホール１６ａにスラックス１側のボタン３を係合し、第２ベルト１３の先端部１３ｂに形成した第２係止部１７のボタン１７ａにスラックス１側のボタンホール４を係合している。
これによりアジャスタ１０は、スラックス１の前あき部２の上端近傍に装着され、スラックス１のウェストサイズを拡張することができる。
【００２０】
スラックス１へ装着されたアジャスタ１０の長さは、次のように調節する。
アジャスタ１０を長くしたい場合には、第１係止部１６が配されている第１ベルト１２の一端側１２ａを引っ張れば良い。これによって、第１係止部１６と第２係止部１７との距離が長くなり、アジャスタ１０は長くなる。
一方、アジャスタ１０を短くしたい場合には、第１ベルト１２の他端側１２ｂを引っ張れば良い。これにより、第１係止部１６と第２係止部１７との距離が短くなり、アジャスタ１０は短くなる。
したがって、第１ベルト１２の一端側１２ａか、或いは他端側１２ｂを引っ張るだけで、アジャスタ１０の長さを容易に調整するができる。
【００２１】
アジャスタ１０を短くしたとき、第１ベルト１２の他端側１２ｂは何ら処置を施さない場合には垂れ下がってしまう。この垂れ下がったベルトは、見た目も悪くまた何処かに挟んで思わぬトラブルを引き起こすおそれがある。
そこで、この余った他端側１２ｂは、たとえば図４に示すように、スラックス１に設けられているベルト通し５へ通すようにする。このようにすれば、垂れ下がった他端側１２ｂをきれいにまとめることができ、アジャスタ１０を取り付けたときの見栄えも良くすることができる。
【００２２】
一方、スラックス１のウェストサイズをアジャスタ１０で拡張したことにより、通常のベルトを用いたときよりもスラックス１のベルト通し５までの距離が長くなり、他端側１２ｂの長さが不足する場合がある。また、スラックス１又はスカートの一部にはベルト通し５を有していないものがあることから、他端側１２ｂをベルト通し５へ通すことができない場合がある。
上記の場合には、図５に示すように、他端側１２ｂの第１ベルト１２を折り返して、第１ベルト１２の一端側１２ａへ配したベルト通し１５へ通すようにする。このようにすれば、垂れ下がった他端側１２ｂをきれいにまとめることができ、アジャスタ１０を取り付けたときの見栄えも良くすることができる。
したがって、スラックス１等の衣服側のベルト通しの有無にかかわらず、本実施例のアジャスタ１０に係る第１ベルト１２の他端側１２ｂは、まとめることができるので、アジャスタ１０を取り付けたときの見栄えを良くすることができ、また垂れ下がった他端側１２ｂが何処かに挟まるといったトラブルを未然に防ぐことができる。
【００２３】
ここで、アジャスタ１０の使用者が着座したり立ち上がったりしたとき、使用者の動きにあわせて体形が変化し、アジャスタ１０には負荷がかかる。このとき、第１ベルト１２が伸縮性を有しているので、使用者の腹部を圧迫するような負担がかかることを防ぐことができる。
また、第１ベルト１２が伸び切っているとき、さらにアジャスタ１０へ負荷がかかった場合、第１ベルト１２の一端側１２ａは長手方向に沿ってバックル１１から自然に引き出される。これにより、使用者の腹部を必要以上に圧迫してしまうことを防ぐことができる。
【００２４】
本実施例に係るアジャスタ１０によれば、ボタン式又はフック式の留め具をスラックス１側の留め具へ係合することによって、アジャスタ１０をスラックス１の前あき部２の上端へ装着して、スラックス１のウェストサイズを本来のサイズから拡張している。
このとき、図４又は図５に示すように、前あき部２下方に形成される逆三角形の窓部６から下着が露出するおそれがある。この場合には、当該窓部６をシャツ・ブラウス等の上衣で覆ったり、スラックス１を穿いた上から腹巻を着用すれば、窓部６から下着が露出することを防ぐことができる。
また、スラックス１の前あき部２の下方は通常ファスナ又はボタンで閉じられている。このファスナ又はボタンを、出来る限り上まで留めることで、窓部６の大きさを小さくすることができる。この場合に、アジャスタ１０の第１ベルト１２を幅広にしたり、少なくともバックル１１を窓部６を覆う程度に大きくしたり、或いは第２ベルト１３を幅広のものか又は第２ベルト１３へカバーを装着したりして、窓部６を覆い隠すようにしても良い。
【符号の説明】
【００２５】
１０…アジャスタ、１１…バックル、１１ａ…フレーム、１１ｂ…中軸、１２…第１ベルト、１２ａ…第１ベルトの一端側、１２ｂ…第１ベルトの他端側、１３…第２ベルト、１３ａ…第２ベルトの基端部、１３ｂ…第２ベルトの先端部、１４…剣先、１５…ベルト通し、
１６…第１係止部、１６ａ…ボタンホール、１６ｂ…フック、
１７…第２係止部、１７ａ…ボタン、１７ｂ…フック受け具、
１…スラックス、２…前あき部、３…スラックス側ボタン、４…スラックス側ボタンホール、５…スラックス側ベルト通し、６…窓部。
【図１】
0003183022.tif 000003
【図２】
0003183022.tif 000004
【図３】
0003183022.tif 000005
【図４】
0003183022.tif 000006
【図５】
0003183022.tif 000007